(57)【要約】      （修正有）【課題】軽くしながらも、遺骨の熱が木箱の外部にまで伝達しないようにする。また、木箱の焼却等を行い易くした遺骨用木箱を提供する。【解決手段】遺骨が納められる木箱本体と、その蓋体３とからなり、木箱本体の底部に敷設部材５が配置され、木箱本体の内壁２ａから所定の空隙ｋをおいて内周側部材６が立設され、これら敷設部材５と内周側部材６が耐熱性部材であるか、又は、耐熱性を有する木材で構成されている。【選択図】図３
0003142604.tif 000002
【実用新案登録請求の範囲】
【請求項１】
遺骨が納められる木箱で作られた遺骨用木箱であって、遺骨が納められる木箱本体と、その蓋体とからなり、木箱本体の底部に敷設部材が配置され、木箱本体の内壁から所定の空隙をおいて内周側部材が立設され、これら敷設部材と内周側部材が耐熱性部材であるか、又は、耐熱性を有する木材で構成されていることを特徴とする遺骨用木箱。
【請求項２】
前記内周側部材が木箱本体の上端までは及んでおらず、これにより形成される木箱本体の内壁の上端と内周側部材の上端との間に段差部が形成され、この段差部に対応する係止部が前記蓋体に設けられていることを特徴とする請求項１記載の遺骨用木箱。
【請求項３】
前記木箱本体の底部に前記敷設部材が所定の空隙をおいて配され、この敷設部材の上に前記内周側部材が立設されていることを特徴とする請求項１記載の遺骨用木箱。
【請求項４】
前記木箱本体が角型の木箱であり、この角型の木箱の角部にのみ介在用の耐熱性部材が配置されていることを特徴とする請求項１ないし３のいずれか１項記載の遺骨用木箱。
【請求項５】
前記敷設部材と内周側部材が木製の板材であり、その木製の板材の内側表面が耐熱性フィルムにより着脱可能に被覆されていることを特徴とする請求項１ないし３のいずれか１項記載の遺骨用木箱。
【考案の詳細な説明】
【技術分野】
【０００１】
この考案は、遺骨が納められる木箱で作られた遺骨用木箱に関する。
【背景技術】
【０００２】
遺体が火葬に付されると、陶磁器製等の壷に入れられて、木箱（化粧箱）に収められて、所定の場所まで運ばれることが通常である。しかし、その土地での風習や、木箱ごとお墓に入れた後、土に還らせるため等により、木箱に直接遺骨が収納されることもある。
【０００３】
木箱に直接遺骨が納められると、遺骨の熱が残っているような場合、これを手で持つ人に火傷をおわせる危険を有する。このために、木箱の内側に耐熱性板材が配されたものが提案され、これにより遺骨の熱が木箱に伝わらないようにされている（特許文献１）。また、特許文献２には、木箱を二重構造として、これにより配偶者の遺骨や故人と親しい人の遺骨も一緒に収納するものが開示されているが、このような二重構造にすることによっても、箱の外周に熱が伝わらないようになる。
【特許文献１】特開２００２−２９１８２０号公報
【特許文献２】実用新案登録第３１３８０９６号公報
【考案の開示】
【考案が解決しようとする課題】
【０００４】
しかしながら、上記特許文献１は、木箱の内側に直接木箱の内側に耐熱性板材である大理石を配置するために、ある程度の熱の伝導は防止できるが、遺骨の熱が大理石に伝わり、その熱が木箱に伝わって持つ手を火傷させるおそれがまったくないかと言うと完全ではない。また、大理石が使用されと、重く、高価になってしまう問題のほかに、木箱の内側や底部に合わせた高度な加工が要求される問題を有する。また、４９日等が終わると、遺骨はお墓に入れられるが、それまで使用された遺骨用木箱は焼却されることを希望する人が多い。しかし、上記特許文献１ではこれができないという問題を有する。
【０００５】
一方、特許文献２のように、単に二重にした構造では、内側の部材が移動する問題を有する。また、特許文献１も２も、蓋体を木箱本体に係止させるためには、木箱本体の上端に蓋体の係止部が係止する切り欠きを形成するもので、その加工が要求される問題を有する。
【０００６】
そこで本考案の目的は、軽くしながらも、遺骨の熱が木箱の外部にまで伝達せず、しかも蓋体を木箱本体に重ね合わせる際にもその加工が容易な遺骨用木箱を提供することにある。
【課題を解決するための手段】
【０００７】
本考案の遺骨用木箱は、遺骨が納められる木箱で作られた遺骨用木箱であって、遺骨が納められる木箱本体と、その蓋体とからなり、木箱本体の底部に敷設部材が配置され、木箱本体の内壁から所定の空隙をおいて内周側部材が立設され、これら敷設部材と内周側部材が耐熱性部材であるか、又は、耐熱性を有する木材で構成されていることを特徴とする。ここで、敷設部材と内周側部材としては、耐熱性の加工が施された木製の板材、断熱ボード（石膏ボード）等が使用可能である。
【０００８】
本考案によれば、木箱本体の底部に耐熱性の敷設部材が配置され、耐熱性の内周側部材が木箱本体の内壁から所定の空隙をおいて立設されていることから、従来のように大理石等を木箱本体の内壁に密接させることなく、木箱外側に熱が伝達することを防止することができる。つまり、上記空隙の空気が熱伝導防止の役割を果たすこととなるので、耐熱性の内周側部材は薄い板材を使用することができる。
【０００９】
本考案としては、前記側面の耐熱性板材が木箱本体の上端までは及んでおらず、これにより形成される木箱本体の内壁の上端と内周側部材の上端との段差部に対応する係止部が前記蓋体に設けられていることが好ましい。
【００１０】
本考案によれば、蓋体に木箱本体の内壁の上端と内周側部材の上端との間に段差部が形成され、この段差部に対応する係止部が設けられていることから、従来のように木箱本体の上部に蓋体の係止のための切り欠き部を形成する必要が無くなり、加工も容易になる。
【００１１】
本考案としては、前記木箱本体の底部に前記敷設部材が所定の空隙をおいて配され、この敷設部材の上に前記内周側部材が立設されていることが好ましい。本考案によれば、底部に敷設部材が所定の空隙をおいて配されているので、従来のように大理石等を木箱本体の底部に密接させることなく、木箱底部に熱が伝達することを防止することができる。
【００１２】
本考案としては、前記木箱本体が角型の木箱であり、この角型の木箱の角部にのみ介在用の耐熱性部材が配置されていることを特徴とする。本考案によれば、角型の木箱の角部にのみ介在用の耐熱性部材が配置されていることにより、型崩れを防止しつつ最大限の空隙を確保することができる構造となる。
【００１３】
本考案としては、前記敷設部材と敷設部材が木製の板材であり、その木製の板材の内側表面が耐熱性フィルムにより着脱可能に被覆されたものであることが好ましい。本考案によれば、前記敷設部材と敷設部材の内側表面が耐熱性フィルムにより覆われているので、熱伝導を更に有効に防止するとともに、遺骨を土に還らせたり、この遺骨用木箱を焼却するときは、この耐熱性フィルムを剥離すれば良くなる。
【考案の効果】
【００１４】
本考案によれば、耐熱性板材が木箱本体の内壁から所定の空隙をおいて底部から立設されたり、底部に耐熱性板材が所定の空隙をおいて配されているので、上記空隙の空気が熱伝導防止の役割を果たし、このため、木箱本体の内側に配される内周側部材は薄い板材を使用することができ、軽量化が図られる。そして、耐熱性板材の種類によっては、遺骨と共に土に還らせることや、木箱の焼却も可能になる。
また、蓋体に木箱本体の内壁の上端と内周側部材の上端との段差部に対応する係止部が設けられていることから、従来のように木箱本体の上部に蓋体の係止のための切り欠き部を形成する必要が無くなり、加工も容易になる。なお、使用するよう内周側部材も短い板材を使用することができる。
また、敷設部材と内周側部材の一方側表面が耐熱性フィルムにより覆われるようにすることで、熱伝導を更に有効に防止するとともに、遺骨を土に還らせたり、この遺骨用木箱を焼却するときは、この耐熱性フィルムを剥離すれば良くなる。
【考案を実施するための最良の形態】
【００１５】
以下、本考案を実施するための最良の形態を図に基づき説明する。
（敷設部材の実施の形態）
図１と図２は、本実施の形態の遺骨用木箱の斜視図である。図３は、木箱本体の断面図であり、図４は、図３のＡ−Ａ線断面図である。本実施の形態の遺骨用木箱１は、遺骨が納められる木箱本体２と、その蓋体３とからなる。符号４は、底側ケースであり、装飾用の模様と、所定形状の孔加工を有する（図７（ａ）（ｂ））。本実施の形態では、底側ケース４を含めて説明するが、底側ケース４はなくても良い。
【００１６】
木箱本体４は、内部中空の直方体形状（角型）であり、側面側の４枚の板と底の１枚の板を組み合わせて作られている。本実施の形態では接着剤により接着されているが、接着剤を使用しなくとも良く、例えば釘等を使用して組み立てられるものでもよい。木箱本体２の底部に敷設部材５が配置されている。敷設部材５は、断熱ボードが使用されているが、木製の薄い板材（合板等）も使用可能である。なお、断熱ボードとしてはウレタン等も可能であるが、焼却がし易いものが好ましい。
【００１７】
木箱本体２の内壁２ａから所定の空隙ｋをおいて内周側部材６が立設されている。内周側部材６は、４枚使用されて、これらの端部同士が直角に交わるようにして組み立てられ、木箱本体２の内壁２ａから所定の空隙ｋをおいて平行間隔で設けられている。木箱本体２の四隅部（四角部）と内周側部材６の四隅部（四角部）には、介在用の耐熱性板材１０が板材をＬ字状に組み合わせて配置されている。内周側部材６は、木箱本体２の内壁２ａから所定の空隙をおいて敷設部材５の上に接着剤を介して立設されているが、内周側部材６の上端６ａが木箱本体２の上端２ｃまでは及んではいない。したがって、木箱本体２の内壁２ａと内周側部材６の上方端２ｃとの箇所に段差部２ｄが形成されている。なお、図５の他の例のように、内周側部材６が木箱本体２の底部から立設させることも可能である。
【００１８】
蓋体３は、木箱本体２の上方側開口を閉塞するものであり、本体２と同様に木製である。本実施の形態の蓋体３には、２つの係止部３ｋが設けられている。この係止部３ｋは、蓋体３の外周壁３ｇよりも下方に突出する板状の係止部３ｋである。この係止部３ｋは、上記木箱本体２の段差部２ｄに対応するように設けられている。すなわち、係止部３ｋの下方先端３ａは、内周側部材６の上方端６ａに接触するとともに、係止部３ｋの先端側の外側は、木箱本体２の内壁２ａと接触する構成である（図３）。本実施の形態では、係止部２ｋは２枚使用されているが、内周側部材６の数に対応させて４枚使用することも可能である。なお、係止部３ｋの先端３ａが内周側部材６と木箱本体２の内壁２ａとの間の所定の空隙ｋに差し込まれる構成にすることも可能である。
【００１９】
したがって、本実施の形態の遺骨用木箱１を使用する場合、蓋体３を開けて（図２）、木箱本体２の底部に、焼却された遺骨を挟持部材を使用して入れると、遺骨に熱が残っていたとしても、その熱は上記空隙ｋの空気と内周側部材６に遮られて、木箱１の外側に熱が伝達することを防止する。木箱本体２の底部については、底側ケース４が使用されているので、この底側ケース４により、熱が伝達することを防止することができる。なお、底側ケース４は、最初から木箱本体２の底を覆っていても良く、また、後で底側ケース４を使用するものでも良い。遺骨を木箱本体２に入れてから、蓋体３で蓋をするときは、蓋体３の係止部３ｋが上記段差部２ｄに対応するので、蓋体３で覆うときの位置合わせが可能で、確実に蓋体３を被せることができる。
【００２０】
（第２の実施の形態）
図６は、本実施の形態の遺骨用木箱の断面図である。本実施の形態の遺骨用木箱１１は、前記内周側部材６の他に、木箱本体２の底部に敷設部材５が所定の空隙ｋをおいて配され、この敷設部材５の上に前記内周側部材６が立設されている。敷設部材５は、合板、ベニヤ等の薄い板材が使用されている。木箱本体２の底部の四隅部（四角部）に介在用の耐熱性板材１０が板材をＬ字状に組み合わせて配置され、これにより底部の敷設部材５も所定の空隙ｋを介して配されている。したがって、底側ケース４を使用しなくとも、木箱本体２の底部に熱が伝導することが防止できる構造である。
【００２１】
そして、前記敷設部材と内周側部材５，６は、その木材製の板材の一方側表面が耐熱性フィルム９により着脱可能に被覆されている。耐熱性フィルム９は、熱伝導防止効果を高めるためと、これを剥離して、木箱１の焼却等を可能にするために使用されている。耐熱性フィルム９としては、例えばアルミ箔等の金属箔等が使用可能である。
【００２２】
したがって、本実施の形態の遺骨用木箱１１を使用する場合は、焼却された遺骨を挟持部材を使用して、木箱本体２の敷設部材５の上に入れると、この敷設部材５は、木箱本体２の底部に所定の空隙ｋをおいて配されているので、遺骨に熱が残っていたとしても、その熱は上記空隙ｋの空気と敷設部材５に遮られて、木箱底部に熱が伝達することを防止する。そして、４９日等が終わり、遺骨をお墓に入れるような場合は、本実施の形態の耐熱性フィルム９を剥離すると、この耐熱性フィルム９は燃え難いので（耐熱性フィルム９以外は木製であるので）、遺骨と共に土に還らせることや、木箱の焼却も可能になる。なお、耐熱性フィルム９の所定箇所にミシン目を施し、このミシン目から耐熱性フィルム９を剥離することも可能である。
【００２３】
以上、本実施の形態では、敷設部材と内周側部材５，６は、各々一重のものとして説明したが、多重構造にするものであっても良い。また、内部中空の直方体形状の遺骨用木箱１と１１を例に説明した、円筒状の木箱本体と、これに蓋をする筒状の蓋体３であっても良く、また、五角形や六角形状等の多角形であってもよく、その形状は特に問われないものである。
【図面の簡単な説明】
【００２４】
【図１】本考案の敷設部材の実施の形態の遺骨用木箱を示す斜視図である。
【図２】上記敷設部材の実施の形態の遺骨用木箱の蓋体を木箱本体から外した状態の斜視図である。
【図３】上記敷設部材の実施の形態の木箱本体の断面図である。
【図４】上記図３のＡ−Ａ線断面図である。
【図５】上記敷設部材の実施の形態の木箱本体の他の例の断面図である。
【図６】上記本考案の第２の実施の形態の遺骨用木箱を示す断面図である。
【図７】上記実施の形態に使用される底側ケースを示す図であり、（ａ）がその平面図であり、（ｂ）がその側面図である。
【符号の説明】
【００２５】
１，１１          遺骨用木箱、
２                木箱本体、２ａ  内壁、２ｄ  段差部、
３                蓋体、３ｋ  係止部、
４                底側ケース、
５                敷設部材、
６                内周側部材、
９                耐熱性フィルム、
１０              介在用の耐熱性板材、
ｋ                空隙
【図１】
0003142604.tif 000003
【図２】
0003142604.tif 000004
【図３】
0003142604.tif 000005
【図４】
0003142604.tif 000006
【図５】
0003142604.tif 000007
【図６】
0003142604.tif 000008
【図７】
0003142604.tif 000009